(57)【要約】【課題】ネットワーク機器相互の接続の容易化と、接続ミスを解消する主配線盤等を提供すること。【解決手段】設置されたネットワーク機器とコンフィグ装置を最初に接続し、ネットワーク機器情報、接続コネクタ番号情報を入手し、ネットワーク機器間接続情報により、メディアスイッチを使って、所望のネットワーク機器を接続する。【選択図】図１
2010226328.tif 000002
【特許請求の範囲】
【請求項１】
複数のネットワーク機器を物理接続する主配線盤において、
装置情報要求を受信すると装置情報応答を送付するネットワーク機器と、
前記ネットワーク機器の接続ケーブルを接続するメディアコネクタと、
前記メディアコネクタ間の接続を動的に変更するメディアスイッチと、
前記メディアコネクタと前記ネットワーク機器接続関係を認知し、
所望の前記ネットワーク機器との接続を決定し、前記メディアスイッチを制御するコンフィグ装置とから構成されることを特徴とする主配線盤。
【請求項２】
前記コンフィグ装置は、
前記メディアコネクタの空コネクタを検索し、
前記メディアスイッチに前記空コネクタと接続することを指示する空コネクタサーチ回路と、
前記空コネクタと接続され、空コネクタと接続されたネットワーク機器から装置情報収集を行う装置情報収集回路と、
ネットワーク機器の情報と、前記ネットワーク機器の接続形態を管理し、
前記装置情報収集回路で収集された装置情報とコネクタ番号を対応づけするコンフィグ情報登録回路と、
前記コンフィグ情報登録回路からコネクタ接続情報を入手し、前記メディアスイッチにコネクタ接続を指示するメディアスイッチ制御回路と
を有することを特徴とする請求項１記載の主配線盤。
【請求項３】
前記装置情報収集回路は、
装置情報要求を送信後、一定の時間を経過して装置情報要求応答を受信しない場合、
前記空コネクタサーチ回路に未接続情報を通知する
ことを特徴とする請求項１または２記載の主配線盤。
【請求項４】
前記装置情報収集回路は、
装置情報要求を送信後、装置情報要求応答を受信すると、
前記空コネクタサーチ回路に接続情報を通知する
ことを特徴とする請求項１から３のいずれか１項に記載の主配線盤。
【請求項５】
前記装置情報収集回路は、
前記ネットワーク機器の装置情報通知を受信後、装置情報受信通知を送信し、
前記空コネクタサーチ回路に接続情報を通知する
ことを特徴とする請求項１から４のいずれか１項に記載の主配線盤。
【請求項６】
前記コンフィグ情報登録回路は、
装置情報収集回路からのコネクタ番号とネットワーク機器情報を受信すると、
前記ネットワーク機器情報とコネクタ番号を対応付けるテーブルを作成する
ことを特徴とする請求項１から５のいずれか１項に記載の主配線盤。
【請求項７】
前記コンフィグ情報登録回路は、
ネットワーク機器接続が解消される場合、
前記ネットワーク機器のコネクタ番号を空コネクタサーチ回路に通知する
ことを特徴とする請求項１から６のいずれか１項に記載の主配線盤。
【請求項８】
前記空コネクタサーチ回路は、
空コネクタ管理テーブルを有し、
前記装置情報収集回路から接続情報を入手した場合には、前記接続情報に対応するコネクタ番号を前記空コネクタ管理テーブルから削除し、
前記コンフィグ情報登録回路から接続解消情報を入手した場合には、前記接続情報に対応するコネクタ番号を前記コネクタ管理テーブルに登録する
ことを特徴とする請求項１から７のいずれか１項に記載の主配線盤。
【請求項９】
前記メディアスイッチは、
物理ケーブル相互を接続する物理スイッチ
あるいは、
物理ケーブル内を伝送する情報単位にスイッチするパケットスイッチである
ことを特徴とする請求項１から８のいずれか１項に記載の主配線盤。
【請求項１０】
装置情報要求を受信すると装置情報応答を送付するネットワーク機器と、
前記ネットワーク機器の接続ケーブルを接続するメディアコネクタと、
前記メディアコネクタ間の接続を動的に変更するメディアスイッチと、
前記メディアコネクタと前記ネットワーク機器接続関係を認知し、
所望の前記ネットワーク機器との接続を決定し、前記メディアスイッチを制御するコンフィグ装置とから構成される主配線盤における動的再構成方法であって、
前記コンフィグ装置は、
前記メディアコネクタの空コネクタを検索し、
空コネクタサーチ回路により前記メディアスイッチに前記空コネクタと接続することを指示し、
前記空コネクタと接続される装置情報収集回路により、空コネクタと接続されたネットワーク機器から装置情報収集を行い、
ネットワーク機器の情報と、前記ネットワーク機器の接続形態を管理し、
コンフィグ情報登録回路により前記装置情報収集回路で収集された装置情報とコネクタ番号を対応づけ、
メディアスイッチ制御回路により前記コンフィグ情報登録回路からコネクタ接続情報を入手し、前記メディアスイッチにコネクタ接続を指示する
ことを特徴とする動的再構成方法。
【請求項１１】
前記装置情報収集回路は、
装置情報要求を送信後、一定の時間を経過して装置情報要求応答を受信しない場合、
前記空コネクタサーチ回路に未接続情報を通知する
ことを特徴とする請求項１０記載の動的再構成方法。
【請求項１２】
前記装置情報収集回路は、
装置情報要求を送信後、装置情報要求応答を受信すると、
前記空コネクタサーチ回路に接続情報を通知する
ことを特徴とする請求項１０または１１記載の動的再構成方法。
【請求項１３】
前記装置情報収集回路は、
前記ネットワーク機器の装置情報通知を受信後、装置情報受信通知を送信し、
前記空コネクタサーチ回路に接続情報を通知する
ことを特徴とする請求項１０から１２のいずれか１項に記載の動的再構成方法。
【請求項１４】
前記コンフィグ情報登録回路は、
装置情報収集回路からのコネクタ番号とネットワーク機器情報を受信すると、
前記ネットワーク機器情報とコネクタ番号を対応付けるテーブルを作成する
ことを特徴とする請求項１０から１３のいずれか１項に記載の動的再構成方法。
【請求項１５】
前記コンフィグ情報登録回路は、
ネットワーク機器接続が解消される場合、
前記ネットワーク機器のコネクタ番号を空コネクタサーチ回路に通知する
ことを特徴とする請求項１０から１４のいずれか１項に記載の動的再構成方法。
【請求項１６】
前記空コネクタサーチ回路は、
空コネクタ管理テーブルを有し、
前記装置情報収集回路から接続情報を入手した場合には、前記接続情報に対応するコネクタ番号を前記空コネクタ管理テーブルから削除し、
前記コンフィグ情報登録回路から接続解消情報を入手した場合には、前記接続情報に対応するコネクタ番号を前記コネクタ管理テーブルに登録する
ことを特徴とする請求項１０から１５のいずれか１項に記載の動的再構成方法。
【発明の詳細な説明】
【技術分野】
【０００１】
本発明は、ネットワーク機器同士の接続を行う主配線盤構成技術に関する。
【背景技術】
【０００２】
近年、インタネットトラヒックの急増に伴い、ネットワーク機器も増大の一途を辿っている。
これらのネットワーク機器相互を接続する際、光ファイバ等で直接接続するケ−スと、一旦光ファイバ等を集約して主配線盤を介して再接続するケ−スがある。
【０００３】
ネットワーク機器が物理的に隣接している場合は直接接続したほうがよいが、物理的に離れている場合(例えば、接続ネットワーク機器同士のフロアが異なる場合、あるいは、異なるビルディングに存在する場合)には、直接接続することは困難であることから、主配線盤を介して接続されることが多い。
【０００４】
主配線盤の構成は、特許文献１、特許文献１２に記載されている。図４はその主配線盤の構成例を示す図である。
【０００５】
主配線盤１００は、光ファイバなどのメディアを差し込むＮ*Ｍマトリクス形状のコネクタ部１０１−ｎ(ｎ=１,２,・・・Ｎ*Ｍ：以降はコネクタ部１０１と記載)と、コネクタ部１０１からの光ファイバ等のメディアを集線し、適切なコネクタ同士を接続する接続モジュール１０２とから構成される。接続モジュール１０２は、任意の２つのコネクタ部１０１を動的に接続可能である。
【０００６】
図４のネットワーク機器１１０と１１１、１１２と１１３が光ファイバを介して接続される場合について説明する。コネクタ部１０１−１と１０１−Ｎと、１０１−Ｎ*(Ｍ−１)と１０１−Ｎ*Ｍは、あらかじめ接続モジュール１０２により接続される。その後、ネットワーク機器１１０と１１１が、コネクタ部１０１−１と１０１−Ｎにそれぞれ接続されることにより、ネットワーク機器１１０と１１１の接続が完了する。また、ネットワーク機器１１２と１１３が、コネクタ部１０１−Ｎ*(Ｍ−１)と１０１−Ｎ*Ｍにそれぞれ接続されることにより、ネットワーク機器１１２と１１３の接続が完了する。
【０００７】
このように、主配線盤を経由してネットワーク機器相互を接続することが可能となる。
【０００８】
関連技術として、特許文献３には宅内装置が加入者ラインを通じて主配線盤に接続される構成が開示されている。
【先行技術文献】
【特許文献】
【０００９】
【特許文献１】特開２００４−１２６４８１号公報
【特許文献２】特開２０００−３２５０４号公報
【特許文献３】特開２０００−１７４９００号公報
【発明の概要】
【発明が解決しようとする課題】
【００１０】
しかしながら、既存の主配線盤では、ネットワーク機器のメディアとコネクタを接続するに先立ち、コネクタ部間を予め接続モジュールにより接続されていることが前提となる。そのため、コネクタＮｏを間違えて接続した場合、該当するネットワーク機器の接続ができなくなってしまう。しがたってコネクタ数が増えるにつれ、人為的ミス接続が増加する。
【００１１】
本発明は、以上のような課題を解決するためになされたもので、ネットワーク機器とコネクタのミス接続を解消する文書管理システム、情報処理装置、文書管理方法およびプログラムを提供することを目的とする。
【課題を解決するための手段】
【００１２】
本発明の主配線盤は、複数のネットワーク機器を物理接続する主配線盤において、
装置情報要求を受信すると装置情報応答を送付するネットワーク機器と、
前記ネットワーク機器の接続ケーブルを接続するメディアコネクタと、
前記メディアコネクタ間の接続を動的に変更するメディアスイッチと、
前記メディアコネクタと前記ネットワーク機器接続関係を認知し、
所望の前記ネットワーク機器との接続を決定し、前記メディアスイッチを制御するコンフィグ装置とから構成されることを特徴とする。
【００１３】
また、本発明の動的再構成方法は、装置情報要求を受信すると装置情報応答を送付するネットワーク機器と、
前記ネットワーク機器の接続ケーブルを接続するメディアコネクタと、
前記メディアコネクタ間の接続を動的に変更するメディアスイッチと、
前記メディアコネクタと前記ネットワーク機器接続関係を認知し、
所望の前記ネットワーク機器との接続を決定し、前記メディアスイッチを制御するコンフィグ装置とから構成される主配線盤における動的再構成方法であって、
前記コンフィグ装置は、
前記メディアコネクタの空コネクタを検索し、
空コネクタサーチ回路により前記メディアスイッチに前記空コネクタと接続することを指示し、
前記空コネクタと接続される装置情報収集回路により、空コネクタと接続されたネットワーク機器から装置情報収集を行い、
ネットワーク機器の情報と、前記ネットワーク機器の接続形態を管理し、
コンフィグ情報登録回路により前記装置情報収集回路で収集された装置情報とコネクタ番号を対応づけ、
メディアスイッチ制御回路により前記コンフィグ情報登録回路からコネクタ接続情報を入手し、前記メディアスイッチにコネクタ接続を指示する
ことを特徴とする。
【発明の効果】
【００１４】
本発明によれば、ネットワーク機器とコネクタのミス接続を解消することが可能となる。
【図面の簡単な説明】
【００１５】
【図１】本発明の実施の形態に係る主配線盤構成を示す図である。
【図２】本発明の実施の形態に係る動作を示す図である。
【図３】本発明の実施の形態に係る動作を示す図である。
【図４】関連する主配線盤構成の一例を示す図である。
【発明を実施するための形態】
【００１６】
図１を用いて、本発明の実施の形態による動的再構成可能な主配線盤構成について説明する。
【００１７】
本発明の実施の形態による動的再構成可能な主配線盤構成は、ネットワーク機器２１０と、動的再構成主配線盤２２０とから構成される。
【００１８】
ネットワーク機器２１０−１、２１０−２は、動的再構成主配線盤２２０からの装置情報収集メッセ−ジに応答する装置情報収集応答部２１１−１、２１１−２をそれぞれ搭載している。
【００１９】
動的再構成主配線盤２２０は、メディアコネクタ２３０と、光スイッチ２４０とコンフィグ装置２５０とから構成される。
【００２０】
メディアコネクタ２３０は、Ｎ*Ｍのマトリクスのコネクタ群を提供し、各コネクタからの信号は光スイッチ２４０のポ−トへと転送される。
【００２１】
光スイッチ２４０は、スイッチ制御回路２４１を搭載し、コンフィグ装置２５０からの指示に基づき経路を切り替え、メディアコネクタ２３０のコネクタ間接続、あるいは、メディアコネクタ２３０のコネクタとコンフィグ装置２５０との接続を行う。
【００２２】
コンフィグ装置２５０は、空コネクタサーチ回路２５１、空コネクタ管理テ−ブル２５２、装置情報収集回路２５３、コンフィグ登録回路２５４、メディアスイッチ制御回路２５５から構成される。
【００２３】
空コネクタサーチ回路２５１は、空コネクタ管理テ−ブル２５２からメディアコネクタ２３０の空コネクタを抽出し、スイッチ制御回路２４１に空コネクタと、装置情報収集回路２５３との接続を指示する。
【００２４】
装置情報収集回路２５３は、空コネクタと接続された後、装置情報要求メッセ−ジを転送する。装置情報収集回路２５３は、装置情報要求メッセ−ジ送付後、受信した装置情報要求応答メッセ−ジを受信すると、コンフィグ登録回路２５４に装置情報とコネクタＮｏの対応を書き込む。
【００２５】
コンフィグ登録回路２５４は、プロビジョニングによってネットワーク機器情報とネットワーク機器接続情報が登録されている。
【００２６】
メディアスイッチ制御回路２５５は、コンフィグ情報登録回路２５４を参照し、適切な２つのネットワーク機器２１０同士を接続するための情報をスイッチ制御回路２４１に転送する。
【００２７】
図２および図３を用いて、本実施の形態の動作について説明する。説明を簡単にするため、ネットワーク機器２１０−１と２１０−２が本実施の形態の動的再構成主配線盤を用いて接続されると仮定する。
【００２８】
まず、図２を参照すると、コンフィグ登録回路２５４には、予めネットワーク機器２１０−１、２１０−２の情報と、その接続先として相互のネットワーク機器が登録される（Ｓ２０１）。
【００２９】
ネットワーク機器２１０−１、２１０−２が設置されると、各ポ−トの光ファイバがメディアコネクタ２３０に接続される（Ｓ２０２）。このとき、接続コネクタは任意でよい。
【００３０】
空コネクタサーチ回路２５１は、空コネクタ管理テ−ブル２５２を参照し、メディアコネクタ２３０の空コネクタと装置情報収集回路２５３を接続させるための情報をスイッチ制御回路２４１に送付する（Ｓ２０３）。
【００３１】
スイッチ制御回路２４１は、空コネクタサーチ回路２５１からの情報に基づき、該当するコネクタと装置情報収集回路２５３を接続するために、光スイッチ２４０の経路切り替えを実行する（Ｓ２０４）。
【００３２】
装置情報収集回路２５３は、空コネクタサーチ回路２５１から送付される接続コネクタ番号を記憶し、接続されたコネクタに対し、装置情報要求を送付する（Ｓ２０５）。装置情報要求応答を所定の時間内に受信しなければ、空コネクタサーチ回路２５１に未接続情報を送付する（Ｓ２０６）。
【００３３】
未接続情報を受信した空コネクタサーチ回路２５１は、次の空コネクタ情報を空コネクタ管理テ−ブル２５２から得て、再びスイッチ制御回路２４１に空コネクタと装置情報収集回路２５３を接続するための情報を送付する（Ｓ２０７）。以降、これを繰り返す。
【００３４】
ここで、図３を参照して、空コネクタにネットワーク機器２１０−１、２１０−２が接続され、装置情報収集回路２５３とその空コネクタが接続された場合について説明する。
【００３５】
装置情報収集回路２５３は、装置情報要求を送付した後、所定の時間装置情報要求応答受信を待つ（Ｓ３０１）。
【００３６】
ネットワーク機器２１０−１、２１０−２の装置情報収集応答回路２１１−１、２１１−２は、装置情報要求を受信すると、装置情報要求応答を送付する（Ｓ３０２）。
【００３７】
装置情報収集応答回路２５３は、ネットワーク機器２１０−１、２１０−２の装置情報収集応答回路２１１−１、２１１−２から装置情報要求応答を受信すると、コンフィグ情報登録回路２５４にその装置情報と空コネクタサーチ回路２５１から通知されたコネクタ番号を通知する（Ｓ３０３）。また、空コネクタサーチ回路２５１に空コネクタ接続情報を送付する（Ｓ３０４）。
【００３８】
空コネクタサーチ回路２５１は、空コネクタ管理テ−ブル２５２を書き換え、そのコネクタ情報を空状態から接続状態に変更する（Ｓ３０５）。
【００３９】
コンフィグ情報登録回路２５４は、受信した装置情報をサーチし、装置情報と接続コネクタ情報を対応づけて登録する（Ｓ３０６）。
【００４０】
その後、メディアスイッチ制御回路２５５は、コンフィグ情報登録回路２５４を参照し、接続されるべきネットワーク機器２１０−１、２１０−２の接続コネクタ同士を接続するための情報をスイッチ制御回路２４１に転送する（Ｓ３０７）。また、メディアスイッチ制御回路２５５は、該当ネットワーク機器２１０−１、２１０−２の接続完了情報をコンフィグ登録回路２５４に転送する（Ｓ３０８）。
【００４１】
コンフィグ情報回路２５４は、その情報を受信すると、ネットワーク機器２１０−１、２１０−２の接続完了情報を格納する（Ｓ３０９）。
【００４２】
このようにしてネットワーク機器２１０−１と２１０−２は接続される（Ｓ３１０）。
【００４３】
ネットワーク機器２１０−１と２１０−２の接続は、コンフィグ登録回路２５４でその接続完了情報を接続解消情報に書き換えられることで解消される。
【００４４】
このとき、コンフィグ登録回路２５４は、ネットワーク２１０−１、２１０−２のメディアコネクタ２３０に接続されていたコネクタを空コネクタとして空コネクタサーチ回路２５１に通知する。空コネクタサーチ回路２５１は、その空コネクタ情報を管理テ−ブル２５２に登録する。
【００４５】
本説明では、メディアスイッチを光スイッチ２４０としていたが、パケットスイッチでもかまわない。
【００４６】
さらに、装置情報収集回路２５３と、装置情報収集応答回路２１１のメッセ−ジ交換を、装置情報収集回路２５３を基点にしていたが、装置情報収集応答回路２１１を基点としてもよい。この場合、装置情報収集応答回路２１１から装置情報が転送され、装置情報収集回路２５３から装置情報を受信した場合に装置情報受信応答が装置情報応答回路２１１に転送される。装置情報収集回路２５３は、コネクタ情報と装置情報をコンフィグ情報登録回路２５４に転送することには変わりがない。
【００４７】
上記の本実施の形態によれば、設置されたネットワーク機器のメディアが主配線盤のどのコネクタに接続されても所望の対抗ネットワーク機器に接続できることから、メディア−コネクタ配線が容易になる。また、接続されたコネクタと接続ネットワーク機器情報を元に対抗ネットワーク機器とコネクタ選択を行うため、誤接続の可能性を大幅に引き下げることができる。
【００４８】
なお、上述する各実施の形態は、本発明の好適な実施の形態であり、本発明の要旨を逸脱しない範囲内において種々変更実施が可能である。
【符号の説明】
【００４９】
２１０    ネットワーク機器
２１１    装置情報収集応答回路
２２０    動的再構成主配線盤
２３０    メディアコネクタ
２４０    メディアスイッチ
２４１    スイッチ制御回路
２５０    コンフィグ装置
２５１    空コネクタサーチ回路
２５２    空コネクタ管理テ−ブル
２５３    装置情報収集回路
２５４    コンフィグ情報登録回路
２５５    メディアスイッチ制御回路
【図１】
2010226328.tif 000003
【図２】
2010226328.tif 000004
【図３】
2010226328.tif 000005
【図４】
2010226328.tif 000006